(57)【特許請求の範囲】
【請求項１】
画像データに対して所定の強調度により異方性を有する周波数処理を施して処理済み画像データを得、前記周波数処理を施した方向および前記所定の強調度に関する処理情報を前記処理済み画像データに付与する画像生成方法により生成された該処理済み画像データに対して、前記処理情報に基づいて前記処理方向における周波数処理の効果を解消する解消処理を施し、
該解消処理が施された画像データに対して等方性を有する他の周波数処理を施すことを特徴とする画像処理方法。
【請求項２】
画像データに対して所定の強調度により異方性を有する周波数処理を施して処理済み画像データを得、前記周波数処理を施した方向および前記所定の強調度に関する処理情報を前記処理済み画像データに付与する画像生成方法により生成された該処理済み画像データに対して、前記処理情報に基づいて前記所定の処理方向における前記所定の強調度を、該所定の処理方向とは異なる方向における強調度よりも小さくした周波数処理を施すことを特徴とする画像処理方法。
【請求項３】
前記異方性を有する周波数処理が異方性を有するフィルタに基づく周波数処理である場合、前記フィルタのフィルタ係数が前記処理情報に含められてなることを特徴とする請求項１または２記載の画像処理方法。
【請求項４】
画像データに対して所定の強調度により異方性を有する周波数処理を施して処理済み画像データを得る周波数処理手段と、前記周波数処理を施した方向および前記所定の強調度に関する処理情報を前記処理済み画像データに付与する処理情報付与手段とを備えた画像生成装置により生成された該処理済み画像データに対して、前記処理情報に基づいて前記処理方向における周波数処理の効果を解消する解消処理を施す解消処理手段と、
該解消処理が施された画像データに対して等方性を有する他の周波数処理を施す周波数処理手段とを備えたことを特徴とする画像処理装置。
【請求項５】
画像データに対して所定の強調度により異方性を有する周波数処理を施して処理済み画像データを得る周波数処理手段と、前記周波数処理を施した方向および前記所定の強調度に関する処理情報を前記処理済み画像データに付与する処理情報付与手段とを備えた画像生成装置により生成された該処理済み画像データに対して、前記処理情報に基づいて前記所定の処理方向における前記所定の強調度を、該所定の処理方向とは異なる方向における強調度よりも小さくした周波数処理を施す周波数処理手段を備えたことを特徴とする画像処理装置。
【請求項６】
前記異方性を有する周波数処理が異方性を有するフィルタに基づく周波数処理である場合、前記画像生成装置の前記処理情報付与手段は、前記フィルタのフィルタ係数を前記処理情報に含めて、該処理情報を前記処理済み画像データに付与する手段であることを特徴とする請求項４または５記載の画像処理装置。
【請求項７】
画像データに対して所定の強調度により異方性を有する周波数処理を施して処理済み画像データを得、前記周波数処理を施した方向および前記所定の強調度に関する処理情報を前記処理済み画像データに付与する画像生成方法により生成された該処理済み画像データに対して、前記処理情報に基づいて前記処理方向における周波数処理の効果を解消する解消処理を施す手順と、
該解消処理が施された画像データに対して等方性を有する他の周波数処理を施す手順とを有する画像処理方法をコンピュータに実行させるためのプログラム。
【請求項８】
画像データに対して所定の強調度により異方性を有する周波数処理を施して処理済み画像データを得、前記周波数処理を施した方向および前記所定の強調度に関する処理情報を前記処理済み画像データに付与する画像生成方法により生成された該処理済み画像データに対して、前記処理情報に基づいて前記所定の処理方向における前記所定の強調度を、該所定の処理方向とは異なる方向における強調度よりも小さくした周波数処理を施す手順を有する画像処理方法をコンピュータに実行させるためのプログラム。
【請求項９】
前記異方性を有する周波数処理が異方性を有するフィルタに基づく周波数処理である場合、前記フィルタのフィルタ係数が前記処理情報に含められてなることを特徴とする請求項８または９記載のプログラム。
【発明の詳細な説明】
【０００１】
【発明の属する技術分野】
本発明は、画像データに対して周波数処理を施して処理済み画像データを得る画像処理方法および装置並びに画像処理方法をコンピュータに実行させるためのプログラムに関するものである。
【０００２】
【従来の技術】
本出願人により、非鮮鋭マスク画像データ（以下、ボケ画像データという）を用いてシャープネス処理を行って画像の鮮鋭度を向上させる種々の周波数処理方法が提案されている（特開昭55-163472号、同55-87953号、特開平3-222577号、同10-75395号、同10-75364号、同10-171983号等）。この周波数処理方法は、例えば元の画像データＳorgからボケ画像データＳusを引いたものに強調度βを乗じたものを、画像データＳorgに加算することにより、画像データの所定の空間周波数成分を強調する処理を行う方法である。これを式で表すと下記の式（１）のようになる。
Ｓproc＝Ｓorg＋β×（Ｓorg−Ｓus）        （１）
但し、Ｓproc：処理済み画像データ
Ｓorg：元の画像データ
Ｓus：ボケ画像データ
β：強調度●
ボケ画像データＳusは、画像データＳorgに対してボケマスクを用いたフィルタリング処理を施すことにより得られる。ここで、ボケマスクとしては、３×３や５×５のように画像データＳorgに対して２次元的にフィルタリング処理を施すフィルタが用いられる。
【０００３】
ところで、デジタルカメラ等の画像データを生成する画像生成装置によっては、コスト的な問題から、２次元的なボケマスクではなく、画像の一方向にのみフィルタリングを行う１次元のボケマスクを用いて、簡易に周波数処理を行うものがある。しかしながら、このような画像生成装置において行われる周波数処理は簡易であるため、より鮮鋭度を強調するために、画像生成装置において得られた画像データに対して、さらに高度な周波数処理を施すことにより、より高画質の処理済み画像を得ることができる。
【０００４】
【発明が解決しようとする課題】
しかしながら、周波数処理においては、２次元的な異方性のない、すなわち等方的なボケマスクが用いられるのが一般的である。これに対して、簡易な周波数処理は、画像の一方向にのみ施されるものであるため、いわば異方性を有する周波数処理が施されているものである。このため、異方性を有する周波数処理が施された画像データに対して、等方的なボケマスクを用いて等方性を有する周波数処理を施すと、元々周波数処理が施されている方向についてさらに周波数処理が施されることとなり、鮮鋭度が強調されすぎてアーチファクトが発生してしまうという問題がある。
【０００５】
本発明は上記事情に鑑みなされたものであり、異方性を有する周波数処理が施された画像データに対して、アーチファクトを発生させることなく、さらなる周波数処理を施すことを目的とする。
【０００６】
【課題を解決するための手段】
本発明による第１の画像処理方法は、異方性を有する画像データに対して、該異方性を解消する周波数処理を施すことにより処理済み画像データを得ることを特徴とするものである。
【０００７】
「異方性を有する画像データ」とは、画像データにより表される画像上の一方向とこれに直交する直交方向のように一方向とは異なる方向とで周波数特性が異なる画像データのことをいう。画像データの異方性は、画像データを生成する装置の構成に起因するものであり、例えば、上述したように１次元のボケマスクを用いることによりボケ画像データを得て、画像データの鮮鋭度を強調するシャープネス処理を行う装置において得られた画像データは、異方性を有するものとなる。
【０００８】
これに対して、「等方性を有する画像データ」とは、画像データにより表される画像上の一方向とこれとは異なる方向とで周波数特性が同一の画像データのことをいう。例えば、上述したように２次元のボケマスクを用いることによりボケ画像データを得て、画像データの鮮鋭度を強調するシャープネス処理を行う装置において得られた画像データは、等方性を有するものとなる。
【０００９】
なお、本発明による第１の画像処理方法においては、前記異方性を有する画像データを、所定の強調度により所定の処理方向に異方性を有する周波数処理が施された画像データとし、前記異方性を解消する周波数処理を、前記所定の処理方向における前記所定の強調度を、該所定の処理方向とは異なる方向における強調度よりも小さくした周波数処理としてもよい。
【００１０】
「異方性を有する周波数処理」としては、例えば、上述したように１次元のボケマスクを用いることによりボケ画像データを得て、画像データの鮮鋭度を強調するシャープネス処理が挙げられる。
【００１１】
これに対して、「等方性を有する周波数処理」としては、例えば、上述したように等方性を有する２次元のボケマスクを用いることによりボケ画像データを得て、画像データの鮮鋭度を強調するシャープネス処理が挙げられる。
【００１２】
また、本発明による第１の画像処理方法においては、前記異方性を有する画像データを、所定の強調度により所定の処理方向に異方性を有する周波数処理が施された画像データとし、前記異方性を解消する周波数処理を、前記画像データに対して、前記所定の処理方向における周波数処理の効果を解消する解消処理を施すことにより得られた画像データに対する、等方性を有する周波数処理としてもよい。
【００１３】
本発明による画像生成方法は、画像データに対して所定の強調度により異方性を有する周波数処理を施して処理済み画像データを得、
前記周波数処理を施した方向および前記所定の強調度に関する処理情報を前記処理済み画像データに付与することを特徴とするものである。
【００１４】
なお、本発明による画像生成方法においては、前記異方性を有する周波数処理が、異方性を有するフィルタに基づく周波数処理である場合、前記フィルタのフィルタ係数を前記処理情報に含めるようにしてもよい。
【００１５】
本発明による第２の画像処理方法は、本発明の画像生成方法により生成された異方性を有するフィルタに基づく周波数処理が施された処理済み画像データに対して、前記処理情報に基づいて前記処理方向における周波数処理の効果を解消する解消処理を施し、
該解消処理が施された画像データに対して等方性を有するフィルタによる他の周波数処理を施すことを特徴とするものである。
【００１６】
本発明による第１の画像処理装置は、異方性を有する画像データに対して、該異方性を解消する周波数処理を施すことにより処理済み画像データを得る周波数処理手段を備えたことを特徴とするものである。
【００１７】
なお、本発明による第１の画像処理装置においては、前記異方性を有する画像データを、所定の強調度により所定の処理方向に異方性を有する周波数処理が施された画像データとし、
前記周波数処理手段において行われる前記異方性を解消する周波数処理を、前記所定の処理方向における前記所定の強調度を、該所定の処理方向とは異なる方向における強調度よりも小さくした周波数処理としてもよい。
【００１８】
また、本発明による第１の画像処理装置においては、前記異方性を有する画像データを、所定の強調度により所定の処理方向に異方性を有する周波数処理が施された画像データとし、
前記周波数処理手段において行われる前記異方性を解消する周波数処理を、前記画像データに対して、前記所定の処理方向における周波数処理の効果を解消する解消処理を施すことにより得られた画像データに対する、等方性を有する周波数処理としてもよい。
【００１９】
本発明による画像生成装置は、画像データに対して所定の強調度により異方性を有する周波数処理を施して処理済み画像データを得る周波数処理手段と、
前記周波数処理を施した方向および前記所定の強調度に関する処理情報を前記処理済み画像データに付与する処理情報付与手段とを備えたことを特徴とするものである。
【００２０】
なお、本発明による画像生成装置においては、前記異方性を有する周波数処理が、異方性を有するフィルタに基づく周波数処理である場合、前記処理情報付与手段を、前記フィルタのフィルタ係数を前記処理情報に含めて、該処理情報を前記処理済み画像データに付与する手段としてもよい。
【００２１】
本発明による第２の画像処理装置は、本発明の画像生成方法により生成された異方性を有するフィルタに基づく周波数処理が施された処理済み画像データに対して、前記処理情報に基づいて前記処理方向における周波数処理の効果を解消する解消処理を施す解消処理手段と、
該解消処理が施された画像データに対して等方性を有するフィルタによる他の周波数処理を施す周波数処理手段とを備えたことを特徴とするものである。
【００２２】
なお、本発明による第１および第２の画像処理方法並びに本発明による画像生成方法をコンピュータに実行させるためのプログラムとして提供してもよい。
【００２３】
【発明の効果】
本発明による第１の画像処理方法および装置によれば、異方性のある画像データに対して、異方性を解消する周波数処理が施される。このため、画像データにより表される画像における鮮鋭度が高い方向については、さらに鮮鋭度が強調されることがなくなり、その結果、アーチファクトのない、高画質の画像を再生可能な処理済み画像データを得ることができる。
【００２４】
本発明の画像生成方法および装置によれば、画像データに対して所定の強調度により異方性を有する周波数処理が施されて処理済み画像データが得られ、周波数処理を施した方向および強調度に関する処理済み情報が、処理済み画像データに付与される。
【００２５】
また、本発明による第２の画像処理方法および装置においては、この処理情報に基づいて、処理済み画像データに対して、周波数処理の効果を解消する解消処理が施され、解消処理が施された画像データに対して等方性を有する周波数処理が施される。
【００２６】
このため、本発明の画像生成方法および装置により得られた画像データについては、本発明による第２の画像処理方法および装置によって周波数処理を施すことにより、周波数処理が施された処理方向については、さらに鮮鋭度を強調しないように他の周波数処理を施すことができ、その結果、アーチファクトのない、高画質の画像を再生可能な処理済み画像データを得ることができる。
【００２７】
【発明の実施の形態】
以下図面を参照して本発明の実施形態について説明する。図１は本発明の第１の実施形態による画像処理装置の構成を示す概略ブロック図である。図１に示すように、本発明の第１の実施形態による画像処理装置は、デジタルカメラ等の画像生成装置１０において被写体を撮像することにより得られた画像データＳ０に対してシャープネス処理を施すものであり、画像データＳ０の入力を受け付ける入力手段１と、画像生成装置１０において得られる画像の特性を表す特性情報Ｆを記憶したメモリ２と、特性情報Ｆに基づいて、画像データＳ０に対してシャープネス処理を施して処理済み画像データＳ１を得るシャープネス処理手段３とを備える。
【００２８】
画像生成装置１０は、撮影等により取得された原画像データに対して、１次元のボケマスクを用いてシャープネス処理を施すことにより画像データＳ０を生成する。このため、画像データＳ０は異方性を有するシャープネス処理が施されたものとなっている。
【００２９】
メモリ２には特性情報Ｆが記憶されるが、この特性情報Ｆは、例えばＩＳＯ１２２３３準拠の解像度チャートを画像生成装置１０において撮影することによりチャート画像データを得、このチャート画像データについて、図２に示すように、ｘ方向およびｙ方向の高周波ゲインを測定し、ゲインが高い方向を判定することにより得られる。したがって、特性情報Ｆは、画像生成装置１０において得られる画像データＳ０により表される画像における、高周波ゲインが高い方向を表す情報となる。なお、以降の説明において、ｘ方向およびｙ方向とは、チャート画像についてのｘ方向およびｙ方向と同一であるものとする。
【００３０】
シャープネス処理手段３は、画像データＳ０に対してシャープネス処理を施して処理済み画像データＳ１を得る。なお、このシャープネス処理は、画像データＳ０により表される画像に対してｘ方向およびｙ方向にそれぞれ別個に施される。具体的には、まず、画像データＳ０のｘ方向に対して、下記の式（２）に示すようにシャープネス処理を施して中間処理済み画像データＳ０ｘを得、その後中間処理済み画像データＳ０ｘのｙ方向に対して下記の式（３）に示すようにシャープネス処理を施して処理済み画像データＳ１を得るものである。
Ｓ０ｘ＝Ｓ０＋βｘ×（Ｓ０−Ｓ０us）            （２）
Ｓ１＝Ｓ０ｘ＋βｙ×（Ｓ０ｘ−Ｓ０ｘus）        （３）●
ここで、Ｓ０usは画像データＳ０に対してｘ方向にボケマスクによるフィルタリング処理を施すことにより得られるボケ画像データ、Ｓ０ｘusは中間処理済み画像データＳ０ｘに対してｙ方向にボケマスクによるフィルタリング処理を施すことにより得られるボケ画像データ、βｘはｘ方向におけるシャープネス処理の強調度、βｙはｙ方向におけるシャープネス処理の強調度をそれぞれ表す。
【００３１】
なお、強調度βｘ，βｙは、特性情報Ｆに基づいて決定される。すなわち、特性情報Ｆにより表される画像生成装置１０のシャープネス処理の方向がｘ方向であれば、画像データＳ０により表される画像は、ｙ方向よりもｘ方向における高周波のゲインが高くなることから、ｘ方向においてさらに鮮鋭度を高めないように強調度βｘが強調度βｙよりも弱くされる。逆に特性情報Ｆにより表される画像生成装置１０のシャープネス処理の方向がｙ方向であれば、画像データＳ０により表される画像は、ｘ方向よりもｙ方向における高周波のゲインが高くなることから、ｙ方向においてさらに鮮鋭度を高めないように強調度βｙが強調度βｘよりも弱くされる。
【００３２】
次いで、第１の実施形態の動作について説明する。図３は第１の実施形態の動作を示すフローチャートである。まず、画像データＳ０の入力が受け付けられ（ステップＳ１）、メモリ２から画像生成装置１０の特性情報Ｆが読み出される（ステップＳ２）。そして、特性情報Ｆに基づいてシャープネス処理の強調度βｘ，βｙが設定され（ステップＳ３）、設定された強調度βｘ，βｙにより画像データＳ０のｘ方向およびｙ方向にシャープネス処理が施されて処理済み画像データＳ１が得られ（ステップＳ４）、処理を終了する。処理済み画像データＳ１はモニタやプリンタにおいて再生に供される。
【００３３】
このように、第１の実施形態においては、特性情報Ｆに基づいて、画像生成装置１０において施されたシャープネス処理の方向については、シャープネス処理の強調度を弱くして画像データＳ０に対してシャープネス処理を施すようにしたものである。このため、既にシャープネス処理が施されている方向については、さらに鮮鋭度を強調しないようにシャープネス処理が施されるため、アーチファクトのない、高画質の画像を再生可能な処理済み画像データＳ１を得ることができる。
【００３４】
なお、上記第１の実施形態において、複数の画像生成装置１０において生成された画像データＳ０に対してシャープネス処理を施す場合、画像生成装置１０の種類に応じた特性情報Ｆをメモリ２に記憶しておき、入力される画像データＳ０を生成した画像生成装置１０の種類に応じた特性情報Ｆを読み出して、シャープネス処理の強調度を決定すればよい。なお、画像生成装置１０の種類は、画像データＳ０のタグ情報やヘッダ情報として画像データＳ０に付与しておけばよい。
【００３５】
次いで、本発明の第２の実施形態について説明する。図４は本発明の第２の実施形態による画像処理装置の構成を示す概略ブロック図である。なお、第２の実施形態において第１の実施形態と同一の構成については同一の参照番号を付し、詳細な説明は省略する。図４に示すように、本発明の第２の実施形態による画像処理装置は、第１の実施形態と同様に、画像生成装置１０において生成された画像データＳ０に対してシャープネス処理を施すものであり、入力手段１と、特性情報Ｆを記憶したメモリ２と、画像データＳ０に対して施された異方性のあるシャープネス処理を解消する解消処理を施して解消処理済みの画像データＳ０′を得る解消処理手段５と、画像データＳ０′に対してシャープネス処理を施して処理済み画像データＳ１を得るシャープネス処理手段６とを備える。
【００３６】
解消処理手段５は、特性情報Ｆに基づいて、画像データＳ０のシャープネス処理が施された方向に対して、ボケマスクによるフィルタリング処理を施すことにより、解消処理済みの画像データＳ０′を得る。すなわち、特性情報Ｆにより表される画像生成装置１０のシャープネス処理の方向がｘ方向であれば、画像データＳ０により表される画像のｙ方向よりもｘ方向における高周波のゲインが高くなることから、ｘ方向において鮮鋭度を弱めるようにｘ方向にフィルタリング処理が施される。逆に特性情報Ｆにより表される画像生成装置１０のシャープネス処理の方向がｙ方向であれば、画像データＳ０により表される画像のｘ方向よりもｙ方向における高周波のゲインが高くなることから、ｙ方向において鮮鋭度を弱めるようにｙ方向にフィルタリング処理が施される。これにより、画像生成装置１０において行われるシャープネス処理の効果が画像データＳ０から除去される。したがって、画像データＳ０′はいわばシャープネス処理が施されていない状態の画像を表すものとなる。
【００３７】
シャープネス処理手段６は、画像データＳ０′に対して、下記の式（４）に示すようにシャープネス処理を施して処理済み画像データＳ１を得るものである。
Ｓ１＝Ｓ０′＋β０×（Ｓ０′−Ｓ０′us）            （４）●
ここで、Ｓ０′usは画像データＳ０′に対して等方性のあるボケマスクにより２次元的なフィルタリング処理を施すことにより得られるボケ画像データ、β０はｘｙ両方向におけるシャープネス処理の強調度をそれぞれ表す。
【００３８】
次いで、第２の実施形態の動作について説明する。図５は第２の実施形態の動作を示すフローチャートである。まず、画像データＳ０の入力が受け付けられ（ステップＳ１１）、メモリ２から画像生成装置１０の特性情報Ｆが読み出される（ステップＳ１２）。そして、特性情報Ｆに基づいて画像データＳ０に対して解消処理が施されて、解消処理済みの画像データＳ０′が得られる（ステップＳ１３）。そして、画像データＳ０′に対してシャープネス処理が施されて処理済み画像データＳ１が得られ（ステップＳ１４）、処理を終了する。処理済み画像データＳ１はモニタやプリンタにおいて再生に供される。
【００３９】
なお、上記第２の実施形態において、複数の画像生成装置１０において生成された画像データＳ０に対してシャープネス処理を施す場合、画像生成装置１０の種類に応じた特性情報Ｆをメモリ２に記憶しておき、入力される画像データＳ０を生成した画像生成装置１０の種類に応じた特性情報Ｆを読み出して、解消処理の方向を決定すればよい。なお、画像生成装置１０の種類は、画像データＳ０のタグ情報やヘッダ情報として画像データＳ０に付与しておけばよい。
【００４０】
次いで、本発明の第３の実施形態について説明する。図６は本発明の第３の実施形態による画像処理装置の構成を示す概略ブロック図である。なお、第３の実施形態において第１および第２の実施形態と同一の構成については同一の参照番号を付し、詳細な説明は省略する。図６に示すように、本発明の第３の実施形態による画像処理装置は、画像生成装置２０において生成された画像データＳ３に対してシャープネス処理を施すものであり、入力手段１と、画像データＳ３に対して施された異方性のあるシャープネス処理を解消する解消処理を施して解消処理済みの画像データＳ３′を得る解消処理手段７と、第２の実施形態と同様に画像データＳ３′に対してシャープネス処理を施して処理済み画像データＳ４を得るシャープネス処理手段８とを備える。
【００４１】
画像生成装置２０は、撮影等により取得された原画像データに対して、下記の式（５）に示すように、１次元のボケマスクを用いてシャープネス処理を施すことにより画像データＳ２を生成するシャープネス処理処理手段２１と、シャープネス処理を施した方向、ボケマスク処理のフィルタ係数および強調度を含む処理情報を画像データＳ２に付与して、処理情報が付与された画像データＳ３を得る処理情報付与手段２２とを備える。
Ｓ２＝Ｓorg＋β１ｘ×（Ｓorg−Ｓｘus）        （５）●
ここで、Ｓorgは原画像データ、Ｓｘusは原画像データＳorgにより表される画像のｘ方向に対してボケマスクによるフィルタリング処理を施すことにより得られるボケ画像データ、β１ｘはｘ方向におけるシャープネス処理の強調度をそれぞれ表す。
【００４２】
なお、画像データＳ３は、異方性を有するシャープネス処理が施されたものとなっている。また、本実施形態においては、ボケマスク処理のフィルタ係数、方向および強調度が画像データＳ２のタグ情報に記述されることにより、処理情報が付与された画像データＳ３が得られるものとする。
【００４３】
解消処理手段７は、画像データＳ３のタグ情報に記述されたボケマスク処理のフィルタ係数、方向および強調度に基づいて、画像データＳ３に施されたシャープネス処理を解消する解消処理を施す。具体的には、下記の式（６）に示す演算により、解消処理済みの画像データＳ３′が求められる。
Ｓ３′＝Ｓ３−β１ｘ×（Ｓ３−Ｓ３ｘus）        （６）●
なお、Ｓ３ｘusは、処理情報に含まれるフィルタ係数に基づいてボケマスクを得、このボケマスクにより画像データＳ３のシャープネス処理が施された方向（すなわちｘ方向）に対してフィルタリング処理を施すことにより得られる。したがって、画像データＳ３′はシャープネス処理が施されていない状態の画像を表すものとなる。
【００４４】
シャープネス処理手段８は、画像データＳ３′に対して、下記の式（７）に示すようにシャープネス処理を施して処理済み画像データＳ４を得るものである。
Ｓ４＝Ｓ３′＋β２×（Ｓ３′−Ｓ３′us）            （７）●
ここで、Ｓ３′usは画像データＳ３′に対して等方性のあるボケマスクにより２次元的なフィルタリング処理を施すことにより得られるボケ画像データ、β２はｘｙ両方向におけるシャープネス処理の強調度をそれぞれ表す。
【００４５】
次いで、第３の実施形態の動作について説明する。図７は第３の実施形態の動作を示すフローチャートである。まず、画像データＳ３の入力が受け付けられる（ステップＳ２１）。そして、画像データＳ３に付与された処理情報に含まれるボケマスクのフィルタ係数、方向および強調度に基づいて、画像データＳ３に対して解消処理が施されて、解消処理済みの画像データＳ３′が得られる（ステップＳ２２）。そして、画像データＳ３′に対してシャープネス処理が施されて処理済み画像データＳ４が得られ（ステップＳ２３）、処理を終了する。処理済み画像データＳ１はモニタやプリンタにおいて再生に供される。
【００４６】
なお、上記第３の実施形態において、複数の画像生成装置１０において生成された画像データＳ０に対してシャープネス処理を施す場合、画像生成装置１０の種類に応じたボケマスク処理のフィルタ係数、方向および強調度を不図示のメモリに記憶しておき、入力される画像データＳ０を生成した画像生成装置１０の種類に応じたボケマスク処理のフィルタ係数、方向および強調度をメモリから読み出して、シャープネス処理の強調度を決定すればよい。なお、画像生成装置１０の種類は、画像データＳ０のタグ情報やヘッダ情報として画像データＳ０に付与しておけばよい。
【図面の簡単な説明】
【図１】本発明の第１の実施形態による画像処理装置の構成を示す概略ブロック図
【図２】画像のｘ方向およびｙ方向を示す図
【図３】第１の実施形態の動作を示すフローチャート
【図４】本発明の第２の実施形態による画像処理装置の構成を示す概略ブロック図
【図５】第２の実施形態の動作を示すフローチャート
【図６】本発明の第３の実施形態による画像処理装置の構成を示す概略ブロック図
【図７】第３の実施形態の動作を示すフローチャート
【符号の説明】
１    入力手段
２    メモリ
３，６，８，２１    シャープネス処理手段
５，７    解消処理手段
１０，２０    画像生成装置
２２    処理情報付与手段
【図１】
0003986857.tif 000002
【図２】
0003986857.tif 000003
【図３】
0003986857.tif 000004
【図４】
0003986857.tif 000005
【図５】
0003986857.tif 000006
【図６】
0003986857.tif 000007
【図７】
0003986857.tif 000008